【手続補正書】
【提出日】平成20年7月23日(2008.7.23)
【手続補正１】
【補正対象書類名】特許請求の範囲
【補正対象項目名】全文
【補正方法】変更
【補正の内容】
【特許請求の範囲】
【請求項１】
アプリケーションプログラムの一般情報及び詳細情報、並びに前記アプリケーションプログラムが適用されるユーザ端末の使用環境情報を含むメタデータを生成するステップと、
該メタデータを前記ユーザ端末に伝送するステップと
を含むことを特徴とするアプリケーションプログラムサービス方法。
【請求項２】
前記アプリケーションプログラムの一般情報が、コンテンツオブジェクトに共通する特性を記述する情報であって、
前記アプリケーションプログラムのタイトル、メディアタイトル、短いタイトル、シノプシス、お勧め情報、キーワード、ジャンル、両親のガイド情報、使用言語、俳優、受賞、関連コンテンツ、製作日、製作場所、製作者に関する情報のうち、少なくともいずれか１つ以上を含むことを特徴とする請求項１に記載のアプリケーションプログラムサービス方法。
【請求項３】
前記アプリケーションプログラムの詳細情報が、前記アプリケーションプログラムの特性を記述する情報であって、
前記アプリケーションプログラムの有料／無料の可否、削除プログラムの提供可否情報のうち、少なくともいずれか１つ以上を含むことを特徴とする請求項１に記載のアプリケーションプログラムサービス方法。
【請求項４】
前記ユーザ端末の使用環境情報が、
前記アプリケーションプログラムが適用される端末のハードウェアの製造会社、ハードウェアバージョン、ハードウェアモデル、ＣＰＵ性能、メモリ容量、支援ＯＳ、ミドルウェアの種類、バーチャルマシンの種類、その他のシステムソフトウェア、格納装置の格納容量、端末装置のタイプ情報のうち、少なくともいずれか１つ以上を含むことを特徴とする請求項１に記載のアプリケーションプログラムサービス方法。
【請求項５】
前記メタデータが、前記アプリケーションプログラムの識別子情報をさらに含むことを特徴とする請求項１に記載のアプリケーションプログラムサービス方法。
【請求項６】
前記支援ＯＳ情報が、前記ユーザ端末に支援されるＯＳの種類又はバージョンによって分類されることを特徴とする請求項４に記載のアプリケーションプログラムサービス方法。
【請求項７】
アプリケーションプログラムの一般情報及び詳細情報、並びに前記アプリケーションプログラムが適用されるユーザ端末の使用環境情報を含むメタデータを生成する生成部と、
該メタデータを前記ユーザ端末に伝送する伝送部とを備えることを特徴とするアプリケーションプログラムサービス装置。
【請求項８】
前記アプリケーションプログラムの一般情報が、コンテンツオブジェクトに共通する特性を記述する情報であって、
前記アプリケーションプログラムのタイトル、メディアタイトル、短いタイトル、シノプシス、お勧め情報、キーワード、ジャンル、両親のガイド情報、使用言語、俳優、受賞、関連コンテンツ、製作日、製作場所、製作者に関する情報のうち、 少なくともいずれか１つ以上を含むことを特徴とする請求項７に記載のアプリケーションプログラムサービス装置。
【請求項９】
前記アプリケーションプログラムの詳細情報が、前記アプリケーションプログラムの特性を記述する情報であって、
前記アプリケーションプログラムの有料／無料の可否、削除プログラムの提供可否情報のうち、少なくともいずれか１つ以上を含むことを特徴とする請求項７に記載のアプリケーションプログラムサービス装置。
【請求項１０】
前記ユーザ端末の使用環境情報が、
前記アプリケーションプログラムが適用される端末のハードウェア製造会社、ハードウェアバージョン、ハードウェアモデル、ＣＰＵ性能、メモリ容量、支援ＯＳ、ミドルウェアの種類、バーチャルマシンの種類、その他のシステムソフトウェア、格納装置の格納容量、端末装置のタイプ情報のうち、少なくともいずれか１つ以上を含むことを特徴とする請求項７に記載のアプリケーションプログラムサービス装置。
【請求項１１】
前記メタデータが、前記アプリケーションプログラムの識別子情報をさらに含むことを特徴とする請求項７に記載のアプリケーションプログラムサービス装置。
【請求項１２】
前記支援ＯＳ情報が、前記ユーザ端末に支援されるＯＳの種類又はバージョンによって分類されることを特徴とする請求項１０に記載のアプリケーションプログラムサービス装置。
【請求項１３】
アプリケーションプログラムの一般情報及び詳細情報、並びに前記アプリケーションプログラムが適用されるユーザ端末の使用環境情報を含むメタデータを受信するステップと、
該メタデータを利用して前記ユーザ端末の使用環境に適したアプリケーションプログラムを獲得するステップとを含むことを特徴とするアプリケーションプログラム獲得方法。
【請求項１４】
前記アプリケーションプログラムの一般情報が、コンテンツオブジェクトに共通する特性を記述する情報であって、
前記アプリケーションプログラムのタイトル、メディアタイトル、短いタイトル、シノプシス、お勧め情報、キーワード、ジャンル、両親のガイド情報、使用言語、俳優、受賞、関連コンテンツ、製作日、製作場所、製作者に関する情報のうち、少なくともいずれか１つ以上を含むことを特徴とする請求項１３に記載のアプリケーションプログラム獲得方法。
【請求項１５】
前記アプリケーションプログラムの詳細情報が、前記アプリケーションプログラムの特性を記述する情報であって、
前記アプリケーションプログラムの有料／無料の可否、削除プログラムの提供可否情報のうち、少なくともいずれか１つ以上を含むことを特徴とする請求項１３に記載のアプリケーションプログラム獲得方法。
【請求項１６】
前記ユーザ端末の使用環境情報が、
前記アプリケーションプログラムが適用される端末のハードウェア製造会社、ハードウェアバージョン、ハードウェアモデル、ＣＰＵ性能、メモリ容量、支援ＯＳ、ミドルウェアの種類、バーチャルマシンの種類、その他のシステムソフトウェア、格納装置の格納容量、端末装置のタイプ情報のうち、少なくともいずれか１つ以上を含むことを特徴とする請求項１３に記載のアプリケーションプログラム獲得方法。
【請求項１７】
前記メタデータが、前記アプリケーションプログラムの識別子情報をさらに含み、
前記アプリケーションプログラムを獲得するステップが、前記受信したメタデータから前記アプリケーションプログラムに対する前記識別子情報を抽出するステップを含み、
該識別子情報を利用して前記アプリケーションプログラムの位置情報を獲得することを特徴とする請求項１３に記載のアプリケーションプログラム獲得方法。
【請求項１８】
前記支援ＯＳ情報が、前記ユーザ端末に支援されるＯＳの種類又はバージョンによって分類されることを特徴とする請求項１６に記載のアプリケーションプログラム獲得方法。
【請求項１９】
アプリケーションプログラムの一般情報及び詳細情報、並びに前記アプリケーションプログラムが適用されるユーザ端末の使用環境情報を含むメタデータを受信する受信部と、
該メタデータを利用して前記ユーザ端末の使用環境に適したアプリケーションプログラムを獲得する獲得部と
を備えることを特徴とするユーザ端末。
【請求項２０】
前記アプリケーションプログラムの一般情報が、コンテンツオブジェクトに共通する特性を記述する情報であって、
前記アプリケーションプログラムのタイトル、メディアタイトル、短いタイトル、シノプシス、お勧め情報、キーワード、ジャンル、両親のガイド情報、使用言語、俳優、受賞、関連コンテンツ、製作日、製作場所、製作者に関する情報のうち、少なくともいずれか１つ以上
を含むことを特徴とする請求項１９に記載のユーザ端末。
【請求項２１】
前記アプリケーションプログラムの詳細情報が、前記アプリケーションプログラムの特性を記述する情報であって、
前記アプリケーションプログラムの有料／無料の可否、削除プログラムの提供可否情報のうち、少なくともいずれか１つ以上を含むことを特徴とする請求項１９に記載のユーザ端末。
【請求項２２】
前記ユーザ端末の使用環境情報が、
前記アプリケーションプログラムが適用される端末のハードウェア製造会社、ハードウェアバージョン、ハードウェアモデル、ＣＰＵ性能、メモリ容量、支援ＯＳ、ミドルウェアの種類、バーチャルマシンの種類、その他のシステムソフトウェア、格納装置の格納容量、端末装置のタイプ情報のうち、少なくともいずれか１つ以上を含むことを特徴とする請求項１９に記載のユーザ端末。
【請求項２３】
前記メタデータが、前記アプリケーションプログラムの識別子情報をさらに含み、
前記獲得部が、前記受信したメタデータから前記アプリケーションプログラムに対する前記識別子情報を抽出する抽出部を備え、
前記識別子情報を利用して前記アプリケーションプログラムの位置情報を獲得することを特徴とする請求項１９に記載のユーザ端末。
【請求項２４】
前記支援ＯＳ情報が、
前記ユーザ端末に支援されるＯＳの種類又はバージョンによって分類される ことを特徴とする請求項２２に記載のユーザ端末。
【請求項２５】
メタデータが記録されたコンピュータで読取り可能な記録媒体において、
前記メタデータが、アプリケーションプログラムの一般情報及び詳細情報、並びに前記アプリケーションプログラムが適用されるユーザ端末の使用環境情報を含むことを特徴とするコンピュータで読取り可能な記録媒体。
【請求項２６】
前記アプリケーションプログラムの一般情報が、コンテンツオブジェクトに共通する特性を記述する情報であって、
前記アプリケーションプログラムのタイトル、メディアタイトル、短いタイトル、シノプシス、お勧め情報、キーワード、ジャンル、両親のガイド情報、使用言語、俳優、受賞、関連コンテンツ、製作日、製作場所、製作者に関する情報のうち、少なくともいずれか１つ以上を含むことを特徴とする請求項２５に記載のコンピュータで読取り可能な記録媒体。
【請求項２７】
前記アプリケーションプログラムの詳細情報が、前記アプリケーションプログラムの特性を記述する情報であって、
前記アプリケーションプログラムの有料／無料の可否、削除プログラムの提供可否情報のうち、少なくともいずれか１つ以上を含むことを特徴とする請求項２５に記載のコンピュータで読取り可能な記録媒体。
【請求項２８】
前記ユーザ端末の使用環境情報が、
前記アプリケーションプログラムが適用される端末のハードウェア製造会社、ハードウェアバージョン、ハードウェアモデル、ＣＰＵ性能、メモリ容量、支援ＯＳ、ミドルウェアの種類、バーチャルマシンの種類、その他のシステムソフトウェア、格納装置の格納容量、端末装置のタイプ情報のうち、少なくともいずれか１つ以上を含むことを特徴とする請求項２５に記載のコンピュータで読取り可能な記録媒体。
【請求項２９】
前記メタデータが、前記アプリケーションプログラムの識別子情報をさらに含むことを特徴とする請求項２５に記載のコンピュータで読取り可能な記録媒体。
【請求項３０】
前記支援ＯＳ情報が、前記ユーザ端末に支援されるＯＳの種類又はバージョンによって分類されることを特徴とする請求項２８に記載のコンピュータで読取り可能な記録媒体。